(57)【要約】【課題】洗濯動線の短縮化を図ることができる住宅を提供する。【解決手段】住宅の二階部分には、廊下１９に隣接して設けられ洗濯機４６が設置されたランドリールーム１５と、廊下１９とは反対側でランドリールーム１５に隣接して設けられ、洗濯物を干す物干しスペースを有するバルコニー２８とが設けられている。廊下１９からランドリールーム１５へ出入りするための出入口として出入口３３及び出入口３４が設けられている。また、ランドリールーム１５からバルコニー２８へ出入りするための出入口６１が設けられ、この出入口６１と出入口３４とはランドリールーム１５を挟んで対向配置されている。【選択図】      図２
2020023800.tif 000002
【特許請求の範囲】
【請求項１】
廊下に隣接して設けられ、洗濯機が設置されたランドリールームと、
前記ランドリールームに隣接して設けられ、洗濯物を干す物干しスペースを有するバルコニーとを備える住宅であって、
前記廊下から前記ランドリールームへ出入りするための出入口として第１出入口及び第２出入口が設けられ、
前記ランドリールームから前記バルコニーへ出入りするための第３出入口が設けられ、
前記第１出入口と前記第３出入口とは前記ランドリールームを挟んで対向配置されていることを特徴とする住宅。
【請求項２】
前記廊下は、前記第１出入口と前記第３出入口とが対向する対向方向と交差する所定方向に延びており、
前記第１出入口と前記第２出入口とは前記所定方向に並んで配置されていることを特徴とする請求項１に記載の住宅。
【請求項３】
前記ランドリールームは、
前記洗濯機が設置され前記第２出入口と連続する第１スペースと、
前記第１出入口及び前記第３出入口とそれぞれ連続する第２スペースとを有し、
前記第２スペースは、前記対向方向における長さが前記第１スペースよりも小さくされていることを特徴とする請求項２に記載の住宅。
【請求項４】
前記第２スペースは、前記所定方向における長さが前記第１スペースよりも小さくされていることを特徴とする請求項３に記載の住宅。
【請求項５】
前記廊下からなる第１通路部に加え、前記対向方向に前記第１通路部から前記ランドリールームとは反対側に向けて延びる第２通路部を有しており、
前記第２通路部が前記第１通路部と連通する連通部は前記第１通路部を挟んで前記第１出入口と対向していることを特徴とする請求項２乃至４のいずれか一項に記載の住宅。
【請求項６】
前記ランドリールーム及び前記バルコニーが設けられた所定階と、その所定階の上側又は下側に隣接する隣接階とを備え、前記所定階と前記隣接階とが階段部を介して連絡されている多層階建ての住宅であって、
前記第２通路部は、前記階段部に通じていることを特徴とする請求項５に記載の住宅。
【請求項７】
前記廊下と前記ランドリールームとを仕切るとともに前記第１出入口と前記第２出入口とが形成された間仕切壁を備え、
前記ランドリールームには、前記間仕切壁に隣接させてアイロン台が設置され、
前記アイロン台は、前記第１出入口と前記第２出入口との間に配置されていることを特徴とする請求項２乃至６のいずれか一項に記載の住宅。
【請求項８】
前記第１出入口には、前記ランドリールーム側に向けて開く開き戸が設けられ、
前記第３出入口には、前記バルコニー側に向けて開く開き戸が設けられていることを特徴とする請求項１乃至７のいずれか一項に記載の住宅。
【請求項９】
前記ランドリールームには、洗濯物を吊るための吊り具が設けられていることを特徴とする請求項１乃至８のいずれか一項に記載の住宅。
【発明の詳細な説明】
【技術分野】
【０００１】
本発明は、ランドリールームを備える住宅に関する。
【背景技術】
【０００２】
住宅には、洗濯機が設置されたランドリールームが設けられている場合がある。特許文献１には、浴室に隣接した脱衣室がランドリールームとして兼用された住宅が開示されている。この住宅について説明すると、当該住宅では、廊下に隣接して脱衣室が設けられており、廊下から脱衣室へ出入口を通じて出入りが可能となっている。廊下は、脱衣室に向かって延びており、その廊下の突き当たりに出入口（以下、廊下側出入口という）が位置している。
【０００３】
脱衣室にはバルコニーが隣接して設けられている。脱衣室からバルコニーへは出入口（以下、バルコニー側出入口という）を通じて出入りが可能となっている。この場合、洗濯機で洗濯した洗濯物を脱衣室からバルコニーへ持ち運び干すことが可能となっており、洗濯物を干す作業がし易くなっている。なお、バルコニー側出入口は、脱衣室において廊下側出入口と対角となる位置に位置している。
【先行技術文献】
【特許文献】
【０００４】
【特許文献１】特開２０１６−７００１７号公報
【発明の概要】
【発明が解決しようとする課題】
【０００５】
ところで、上記特許文献１の住宅では、洗濯物の取り込みを行うためにバルコニーへ移動する際、廊下から脱衣室を経由してバルコニーへ移動することになると考えられる。具体的には、廊下から廊下側出入口を介して脱衣室に入り、その後脱衣室からバルコニー側出入口を介してバルコニーに入ることになると考えられる。
【０００６】
ここで、廊下側出入口とバルコニー側出入口とは脱衣室において対角となる位置関係にあるため、この場合、脱衣室を対角に横切って移動する必要がある。そのため、洗濯物の取り込みのためにバルコニーへ移動する際、その移動の際の動線が長くなることが考えられる。
【０００７】
また、上記特許文献１の住宅は、廊下側出入口が廊下の突き当たりに位置しているため、洗濯等のために脱衣室へ移動する際の動線が長くなることも考えられる。
【０００８】
本発明は、上記事情に鑑みてなされたものであり、洗濯動線の短縮化を図ることができる住宅を提供することを主たる目的とするものである。
【課題を解決するための手段】
【０００９】
上記課題を解決すべく、第１の発明の住宅は、廊下に隣接して設けられ、洗濯機が設置されたランドリールームと、前記ランドリールームに隣接して設けられ、洗濯物を干す物干しスペースを有するバルコニーとを備える住宅であって、前記廊下から前記ランドリールームへ出入りするための出入口として第１出入口及び第２出入口が設けられ、前記ランドリールームから前記バルコニーへ出入りするための第３出入口が設けられ、前記第１出入口と前記第３出入口とは前記ランドリールームを挟んで対向配置されていることを特徴とする。
【００１０】
本発明によれば、洗濯機が設置されたランドリールームが物干しスペースを有するバルコニーに隣接しており、ランドリールームからバルコニーへは第３出入口を介して出入りが可能となっている。このため、洗濯機で洗濯した洗濯物を速やかにバルコニーに持ち運び干すことが可能となっている。
【００１１】
また、本発明では、こうした構成にあって、廊下からランドリールームへ出入り可能な出入口が２つ設けられている。この場合、廊下からランドリールームへの出入りがし易く、ランドリールームで洗濯等を行う上で動線の短縮化を図ることができる。また、これら２つの出入口のうち、第１出入口については第３出入口とランドリールームを挟んで対向配置されている。この場合、洗濯物の取り込みのために廊下からランドリールームを経由してバルコニーへ移動する際、第１出入口及び第３出入口を通じて最短経路で移動することができる。よって、以上より、洗濯動線の短縮化を図ることができる。
【００１２】
第２の発明の住宅は、第１の発明において、前記廊下は、前記第１出入口と前記第３出入口とが対向する対向方向と交差する所定方向に延びており、前記第１出入口と前記第２出入口とは前記所定方向に並んで配置されていることを特徴とする。
【００１３】
本発明によれば、廊下の延びる所定方向に第１出入口及び第２出入口が並んでいるため、これら各出入口を介して廊下とランドリールームとを回遊する回遊動線を形成することができる。これにより、ランドリールームを利用する上でより動線の短縮化を図ることができる。
【００１４】
第３の発明の住宅は、第２の発明において、前記ランドリールームは、前記洗濯機が設置され前記第２出入口と連続する第１スペースと、前記第１出入口及び前記第３出入口とそれぞれ連続する第２スペースとを有し、前記第２スペースは、前記対向方向における長さが前記第１スペースよりも小さくされていることを特徴とする。
【００１５】
本発明によれば、ランドリールームを挟んで対向する第１出入口及び第３出入口の距離（間隔）を比較的小さくすることができるため、廊下側からそれら各出入口を介して、つまりランドリールームを経由してバルコニーへ移動する際の動線を短縮化することができる。これにより、洗濯物の取り込みの際、バルコニーへより速やかに移動することが可能となる。特に、雨天時には洗濯物の取り込みを速やかに行うことが求められるため、かかる構成とすることの意義は大きい。
【００１６】
その一方で、洗濯機の設置スペースである第１スペースについては第１出入口及び第３出入口の対向方向の長さが比較的大きくされているため、第１スペースについては比較的広いスペースが確保されている。そのため、洗濯物の取り込みの際の動線短縮化を図りながら、第１スペースについては洗濯等の作業を行う上で好都合な構成とすることができる。
【００１７】
第４の発明の住宅は、第３の発明において、前記第２スペースは、前記所定方向における長さが前記第１スペースよりも小さくされていることを特徴とする。
【００１８】
本発明によれば、第２スペースについて、第１出入口と第３出入口との対向方向の長さが第１スペースよりも小さくされていることに加え、廊下の延びる方向（所定方向）の長さも第１スペースより小さくされている。この場合、洗濯機の設置スペースである第１スペースをその分広く確保することができるため、同スペースにおいて洗濯等の作業を行う上でより一層好都合となる。また、第２スペースは廊下側からバルコニーへ移動する際の移動用スペースとして見れば、移動が行える程度の広さを有していれば足りるため、かかる構成としても特段問題はない。
【００１９】
第５の発明の住宅は、第２乃至第４のいずれかの発明において、前記廊下からなる第１通路部に加え、前記対向方向に前記第１通路部から前記ランドリールームとは反対側に向けて延びる第２通路部を有しており、前記第２通路部が前記第１通路部と連通する連通部は前記第１通路部を挟んで前記第１出入口と対向していることを特徴とする。
【００２０】
本発明によれば、第２通路部が第１通路部（廊下）と連通する連通部が第１通路部を挟んで第１出入口と対向している。この場合、第２通路部側から第１通路部とランドリールームとをそれぞれ経由してバルコニーへ移動するに際し、動線の短縮化を図ることができる。これにより、第２通路部側からバルコニーへ洗濯物の取り込みのために移動する際、速やかに移動することが可能となる。
【００２１】
第６の発明の住宅は、第５の発明において、前記ランドリールーム及び前記バルコニーが設けられた所定階と、その所定階の上側又は下側に隣接する隣接階とを備え、前記所定階と前記隣接階とが階段部を介して連絡されている多層階建ての住宅であって、前記第２通路部は、前記階段部に通じていることを特徴とする。
【００２２】
本発明によれば、ランドリールームやバルコニーが設けられた所定階の上側又は下側の隣接階から階段部を通じてバルコニーへ移動する際、詳しくは当該階段部から第２通路部、第１通路部及びランドリールームを経由してバルコニーへ移動する際に、動線の短縮化を図ることができる。これにより、隣接階からバルコニーへ洗濯物の取り込みのために移動する際、速やかに移動することが可能となる。
【００２３】
第７の発明の住宅は、第２乃至第６のいずれかの発明において、前記廊下と前記ランドリールームとを仕切るとともに前記第１出入口と前記第２出入口とが形成された間仕切壁を備え、前記ランドリールームには、前記間仕切壁に隣接させてアイロン台が設置され、前記アイロン台は、前記第１出入口と前記第２出入口との間に配置されていることを特徴とする。
【００２４】
本発明によれば、ランドリールームにアイロン台が設置されているため、ランドリールームでアイロンがけを行うことができる。また、アイロン台は、間仕切壁に隣接させて設置され、第１出入口と第２出入口との間に配置されている。この場合、ランドリールームにアイロン台を用いてアイロンがけを行う作業者がいて、その作業者の後ろを通って第１スペースと第２スペースとの間を行き来できない場合でも、第１スペースへは第２出入口から出入りすることができ、第２スペースへは第１出入口から出入りすることができる。そのため、各スペースへの移動を行えるようにしつつ、アイロン台を利用することが可能となる。
【００２５】
特に、上述した第３の発明では、第１出入口と第３出入口とが対向する対向方向における第２スペースの長さが小さくされている関係で、アイロンがけを行う作業者の後ろを通って第１スペースと第２スペースとの間を行き来するのが困難なことが考えられる。このため、かかる第３の発明に第７の発明を適用することで特に大きな効果を得ることができる。
【００２６】
第８の発明の住宅は、第１乃至第７のいずれかの発明において、前記第１出入口には、前記ランドリールーム側に向けて開く開き戸が設けられ、前記第３出入口には、前記バルコニー側に向けて開く開き戸が設けられていることを特徴とする。
【００２７】
本発明によれば、廊下側から第１出入口及び第３出入口を通じてバルコニーへ移動する際、それら各出入口の開き戸を移動先側に開いて移動することができる。これにより、洗濯物の取り込みに際し廊下側からバルコニーへより速やかに移動することが可能となる。
【００２８】
第９の発明の住宅は、第１乃至第８のいずれかの発明において、前記ランドリールームには、洗濯物を吊るための吊り具が設けられていることを特徴とする。
【００２９】
本発明によれば、洗濯機で洗濯した洗濯物をランドリールームにてハンガーにかけて吊り具に吊ることができる。そして、その後、その洗濯物をバルコニーへ持ち込んで干すことが可能となる。これにより、洗濯物をバルコニーでハンガーにかけ干す場合と比べ、洗濯物を干すに際し屋外にいる時間を短縮することができる。そのため、洗濯物干しに際し紫外線に当たる量を軽減するといった利点を得ることが可能となる。
【図面の簡単な説明】
【００３０】
【図１】住宅の二階部分の間取りを示す平面図。
【図２】ランドリールーム周辺の構成を拡大して示す平面図。
【発明を実施するための形態】
【００３１】
以下に、本発明を具体化した一実施の形態について図面を参照しつつ説明する。本実施形態では、住宅が一階部分と二階部分とを有する二階建てとされている。また、本実施形態では、住宅として二世帯住宅を想定しており、一階部分に親世帯が居住し、二階部分に子世帯が居住していることを想定している。図１は、住宅の二階部分の間取りを示す平面図であり、以下、この図１に基づいて二階部分の間取りについて説明する。また、図１における上下方向が南北方向、図１における左右方向が東西方向となっている。
【００３２】
図１に示すように、住宅１０の二階部分２０には、屋内空間として、主寝室１１と書斎１２と脱衣室１３と浴室１４とランドリールーム１５とトイレ１６と寝室１７と趣味室１８とが設けられている。
【００３３】
主寝室１１は二階部分２０において西側に設けられている。主寝室１１は、南北に延びており、その北側がベッドが設置された寝室スペース１１ａとされ、南側がソファ等が設置されたリビングスペース１１ｂとされている。リビングスペース１１ｂは、セカンドリビングとして利用され、寝室スペース１１ａと仕切部（ミニバー等）により仕切られている。また、寝室スペース１１ａの北側にはウォークインクローゼット２６が設けられている。
【００３４】
二階部分２０において東側には寝室１７と趣味室１８とが設けられている。寝室１７と趣味室１８とは南北に隣接しており、寝室１７が北側、趣味室１８が南側に位置している。趣味室１８は、家事を行う者（例えば主婦）が自らの趣味を行うための部屋であり、将来においては子供部屋として利用することも可能となっている。
【００３５】
主寝室１１と趣味室１８とは廊下１９を介して通じている。廊下１９は、東西方向に直線状に延びており、二階部分２０において南北方向の中間部（詳しくは略中央部）に位置している。なお、廊下１９が「第１通路部」に相当する。
【００３６】
主寝室１１の東側には書斎１２と脱衣室１３と浴室１４とが設けられている。これらの屋内空間１２〜１４は南北に並んでおり、書斎１２が廊下１９の南側に位置し、脱衣室１３及び浴室１４が廊下１９の北側に位置している。つまり、書斎１２と、脱衣室１３及び浴室１４とは廊下１９を挟んで反対側に位置している。書斎１２は、廊下１９へ出入口２２を介して出入り可能とされているとともに、リビングスペース１１ｂと連通部２９を介して連通されている。
【００３７】
脱衣室１３と浴室１４とのうち、脱衣室１３が南側に位置し、浴室１４が北側に位置している。脱衣室１３は廊下１９に隣接しており、廊下１９から脱衣室１３へは出入口２３を介して出入り可能とされている。
【００３８】
書斎１２の東側にはランドリールーム１５が隣接して設けられている。ランドリールーム１５は、洗濯機４６が設置された洗濯室となっており、洗濯に関する各種作業がこの部屋で行われるようになっている。本住宅１０では、このように脱衣室１３とは別にランドリールーム１５が洗濯専用の部屋として設けられている。
【００３９】
ランドリールーム１５は、廊下１９の南側に隣接して設けられている。すなわち、ランドリールーム１５は、廊下１９の側面側に隣接して設けられており、換言すると廊下１９の延びる方向に対して直交（交差）する方向に当該廊下１９と隣接している。廊下１９を挟んでランドリールーム１５とは反対側には一階部分に通じる階段２４が設けられている。この階段２４（の下り口）には、その東側にホール２５が隣接して設けられている。ホール２５は、階段２４とともに廊下１９の北側に配置され、廊下１９と連通部３１を介して連続（連通）している。この場合、廊下１９は、その東側の端部（換言すると一端部）において連通部３１と連続しており、連通部３１では東西方向の長さがホール２５よりも小さくされている。なお、本実施形態では、連通部３１とホール２５とにより「第２通路部」が構成され、その第２通路部が廊下１９から北側に向けて、すなわちランドリールーム１５とは反対側に向けて延びている。また、本住宅１０では、二階部分２０が「所定階」に相当し、一階部分が「隣接階」に相当する。
【００４０】
二階部分２０には、上述した屋内空間１１〜１９に加え、半屋外空間としてのバルコニー２７，２８が設けられている。これらバルコニー２７，２８のうち、バルコニー２７は主寝室１１（詳しくはリビングスペース１１ｂ）の南側に隣接して設けられ、バルコニー２８は趣味室１８の南側に隣接して設けられている。
【００４１】
バルコニー２８は、趣味室１８と仕切壁５５により仕切られている。仕切壁５５には、掃き出し窓５６が設けられている。この掃き出し窓５６を通じて趣味室１８からバルコニー２８への出入りが可能となっている。また、掃き出し窓５６には、ガラス戸５７が設けられている。
【００４２】
バルコニー２８は、その一部が屋根の軒部５８により上方から覆われた軒下空間２８ａとなっている。図１では便宜上、軒部５８の軒先を仮想線（二点鎖線）にて示している（後述する図２も同様）。バルコニー２８は、洗濯物を干す物干しスペースとして利用されている。バルコニー２８には、洗濯物を吊り下げ可能な物干し台５９が設けられ、この物干し台５９に洗濯物を吊って干すことが可能となっている。また、物干し台５９は、バルコニー２８の軒下空間２８ａに設けられている。なお、バルコニー２８が特許請求の範囲に記載の「バルコニー」に相当する。
【００４３】
続いて、ランドリールーム１５周辺の構成について図２に基づいて詳しく説明する。図２は、ランドリールーム１５周辺の構成を拡大して示す平面図である。
【００４４】
図２に示すように、ランドリールーム１５は、廊下１９と仕切壁３２により仕切られている。仕切壁３２には、廊下１９からランドリールーム１５へ出入りするための２つの出入口３３，３４が設けられている。これら各出入口３３，３４は、仕切壁３２において壁幅方向（東西方向）の両端側にそれぞれ配置されている。この場合、各出入口３３，３４の間隔はこれら出入口３３，３４の幅よりも大きくなっている。なお、仕切壁３２が「間仕切壁」に相当する。
【００４５】
各出入口３３，３４のうち、出入口３３が西側に配置され、出入口３４が東側に配置されている。出入口３４は廊下１９を挟んでホール２５の連通部３１と対向している。したがって、出入口３４と連通部３１とは廊下１９の延びる方向において同じ位置に位置している。なお、出入口３３が「第２出入口」に相当し、出入口３４が「第１出入口」に相当する。
【００４６】
出入口３３には、引き戸からなる開閉体３５が設けられている。この開閉体３５により出入口３３が開閉される。また、出入口３４には、開き戸からなる開閉体３６が設けられている。この開閉体３６により出入口３４が開閉される。また、開閉体３６は、ランドリールーム１５側へ回動することにより開状態とされる。
【００４７】
なお、以下の説明では、廊下１９の延びる方向を第１方向Ｘともいい、その第１方向Ｘと平面視にて直交（交差）する方向を第２方向Ｙともいう。本実施形態では、第１方向Ｘが東西方向とされ、第２方向Ｙが南北方向とされている。
【００４８】
ランドリールーム１５は、出入口３３に連続する第１スペース１５ａと、出入口３４に連続する第２スペース１５ｂとを有している。第１スペース１５ａと第２スペース１５ｂとは廊下１９の延びる方向に並んでおり、いずれも平面視にて矩形形状をなしている。詳しくは、これら各スペース１５ａ，１５ｂはいずれも平面視にて正方形状をなしている。
【００４９】
第２スペース１５ｂは、第１方向Ｘ（東西方向）の長さＬ２が第１スペース１５ａにおける第１方向Ｘの長さＬ１よりも小さくされている（Ｌ１＞Ｌ２）。具体的には、第２スペース１５ｂの長さＬ２は第１スペース１５ａの長さＬ１の半分以下とされ、本実施形態では長さＬ２が長さＬ１の半分とされている。なお、図２では、説明の便宜上、第１スペース１５ａと第２スペース１５ｂとの境界線を仮想線（二点鎖線）で示している。
【００５０】
また、第２スペース１５ｂは、第２方向Ｙ（南北方向）の長さＬ４が第１スペース１５ａにおける第２方向Ｙの長さＬ３よりも小さくされている（Ｌ３＞Ｌ４）。具体的には、第２スペース１５ｂの長さＬ４は第１スペース１５ａの長さＬ３の半分以下とされ、本実施形態では長さＬ４が長さＬ３の半分とされている。これにより、第１スペース１５ａには、第２スペース１５ｂよりも第２方向Ｙにおける反廊下１９側（南側）に延出した延出スペース４３が含まれている。
【００５１】
第１スペース１５ａを挟んで仕切壁３２と対向する位置には外壁部３７が設けられている。この外壁部３７によりランドリールーム１５が屋外と仕切られている。外壁部３７には、ランドリールーム１５と屋外とを連通する窓部３８が設けられている。また、窓部３８にはガラス戸３９が設けられている。この場合、この窓部３８を通じてランドリールーム１５へ太陽光を採り込むことが可能となっている。
【００５２】
仕切壁３２と外壁部３７との間には、それら両者３２，３７を繋ぐ仕切壁４１が設けられている。仕切壁４１は、第２方向Ｙに延びており、この仕切壁４１によりランドリールーム１５が書斎１２と仕切られている。また、第１スペース１５ａの延出スペース４３を挟んで仕切壁４１と対向する位置には仕切壁４２が設けられている。この場合、仕切壁４１と仕切壁４２とは第１方向Ｘに対向している。
【００５３】
第１スペース１５ａには、仕切壁４１に隣接させて収納棚４５が設置されている。収納棚４５は、第１スペース１５ａにおいて仕切壁４１の壁幅方向全域に亘って配置されている。収納棚４５は、居住者の洗濯物を収納するためのもので、居住者ごとに洗濯物の収納部が区分けされている。したがって、洗濯物を干し終えた後は、この収納棚４５に洗濯物が居住者ごとに区分けして収納されるようになっている。
【００５４】
また、居住者が浴室１４に入る際、着替え（衣類）を用意するときには、この収納棚４５から着替えを取り出し脱衣室１３へ持ち運ぶようになっている。そして、この際、ランドリールーム１５（第１スペース１５ａ）への出入りは出入口３３を通じて行われる。すなわち、各出入口３３，３４のうち脱衣室１３（出入口２３）寄りに位置する出入口３３を通じて行われる。なお、脱衣室１３の出入口２３は、各出入口３３，３４よりも西側に位置している。
【００５５】
第１スペース１５ａには、その延出スペース４３に洗濯機４６と洗面台４７と物干し部４８とが設けられている。洗濯機４６と洗面台４７とは仕切壁４２に隣接させて設置され、仕切壁４２の壁幅方向に並べて配置されている。詳しくは、洗濯機４６は、仕切壁４２と外壁部３７との隅部に配置されている。
【００５６】
物干し部４８は、例えば物干し竿であり、天井から吊した状態で設けられている。この物干し部４８には、洗濯物をハンガーにかけて吊ることが可能となっている。そのため、洗濯機４６で洗濯した洗濯物を干すに際し、まず物干し部４８に洗濯物を吊るし、その後その洗濯物をバルコニー２８に持ち運んで干すといったことが可能となっている。この場合、バルコニー２８でハンガーにかけて洗濯物を干す作業を行う場合と比べ、洗濯物を干すに際し屋外にいる時間を短縮することができため、紫外線に当たる量を軽減させるといった利点を得ることが可能となる。なお、物干し部４８が「吊り具」に相当する。
【００５７】
物干し部４８は、窓部３８の正面側に複数本（具体的には２本）設けられ、窓部３８の開口幅方向に延びる向きで配置されている。これにより、窓部３８から射し込む太陽光によって、物干し部４８に洗濯物を吊り下げて干すことも可能となっている。したがって、ランドリールーム１５は洗濯物を干す物干しスペースとしても利用することが可能となっている。
【００５８】
また、第１スペース１５ａには、仕切壁３２に隣接させてアイロン台４９が設けられている。アイロン台４９は、仕切壁３２の壁際において各出入口３３，３４の間に配置されている。したがって、ランドリールーム１５では、このアイロン台４９を用いて洗濯物のアイロンがけを行うことも可能となっている。
【００５９】
第２スペース１５ｂを挟んで仕切壁３２と対向する位置には仕切壁５１が設けられている。この場合、仕切壁５１は、仕切壁３２と第２方向Ｙに対向しており、仕切壁４２とＬ字状をなすように接続されている。また、仕切壁５１は、趣味室１８側の仕切壁５５と壁幅方向（第１方向Ｘ）において連続している。したがって、仕切壁５１と仕切壁５５とは第１方向Ｘに一直線に並んで延びている。
【００６０】
また、仕切壁３２と仕切壁５１とは、仕切壁５２を介して接続されている。この仕切壁５２はランドリールーム１５を挟んで仕切壁４１と第１方向Ｘに対向している。この仕切壁５２によりランドリールーム１５（詳しくは第２スペース１５ｂ）が趣味室１８と仕切られている。
【００６１】
ランドリールーム１５には、廊下１９とは反対側（南側）においてバルコニー２８が隣接して設けられている。バルコニー２８は、平面視にて矩形形状をなしており、上述したように趣味室１８に隣接している。バルコニー２８は、その一部が趣味室１８よりも第１方向Ｘにおいてランドリールーム１５側に延出している。そして、その延出した延出部分２８ｂがランドリールーム１５と隣接している。この場合、延出部分２８ｂは、ランドリールーム１５の第２スペース１５ｂと第２方向Ｙに隣接しているとともに、第１スペース１５ａと第１方向Ｘに隣接している。
【００６２】
バルコニー２８の延出部分２８ｂは、仕切壁５１によりランドリールーム１５（詳しくは第２スペース１５ｂ）と仕切られ、仕切壁４２によりランドリールーム１５（詳しくは第１スペース１５ａ）と仕切られている。仕切壁５１には、ランドリールーム１５からバルコニー２８への出入りを可能とする出入口６１が設けられている。出入口６１は、ランドリールーム１５の第２スペース１５ｂを挟んで出入口３４と対向している。この場合、出入口６１と出入口３４とは第２方向Ｙに対向している。したがって、出入口６１と出入口３４とは第１方向Ｘにおいて同じ位置にある。なお、この場合、出入口６１が「第３出入口」に相当する。
【００６３】
出入口６１には、開き戸からなる開閉体６２が設けられている。開閉体６２は、バルコニー２８側へ回動することで開状態とされる。したがって、開閉体６２は、第２方向Ｙにおいて出入口３４の開閉体３６と同じ側に回動することで開くようになっている。
【００６４】
バルコニー２８は、その一部が第２方向Ｙにおいて外壁部３７よりも屋外側（南側）に延出している。この場合、バルコニー２８において、上記延出した領域と、延出していない領域とのうちで、延出していない領域が軒下空間２８ａとなっている。軒下空間２８ａは第１スペース１５ａの延出スペース４３と第１方向Ｘにおいて隣接している。そして、この軒下空間２８ａが出入口６１に通じている。したがって、ランドリールーム１５から軒下空間２８ａへは出入口６１を介して雨に濡れずに移動することが可能となっている。
【００６５】
上述した構成によれば、ランドリールーム１５からバルコニー２８へ出入口６１を介して出入りが可能となっているため、洗濯機４６で洗濯した洗濯物を速やかにバルコニー２８に持ち運び干すことが可能となっている。
【００６６】
また、洗濯物を取り込むために廊下１９側からバルコニー２８へ移動する際には、ランドリールーム１５を経由してバルコニー２８へ移動することになる。この際、出入口６１と出入口３４とが対向しているため、これら各出入口３４，６１を通じてバルコニー２８へまっすぐ移動することができる。
【００６７】
以上、詳述した本実施形態の構成によれば、以下の優れた効果が得られる。
【００６８】
廊下１９からランドリールーム１５へ出入り可能な出入口３３，３４を２つ設けたため、廊下１９からランドリールーム１５への出入りがし易く、ランドリールーム１５で洗濯等を行う上で動線の短縮化を図ることができる。また、これら２つの出入口３３，３４のうち、出入口３４についてはバルコニー２８側の出入口６１とランドリールーム１５を挟んで対向配置したため、廊下１９からランドリールーム１５を経由してバルコニー２８へ移動する際には、それら各出入口３４，６１を通じて最短経路で移動することができる。よって、以上より、洗濯動線の短縮化等を図ることが可能となる。
【００６９】
また、各出入口３４，６１を対向配置したことで、ランドリールーム１５を経由してバルコニー２８へ移動する際には出入口３４から出入口６１に向けてまっすぐ移動することができる。つまり、これらの出入口が対角の位置に配置されている上記特許文献１の場合には、移動の途中で向きを変える必要があるが、上記の構成によればそのような必要がなく、廊下１９側からバルコニー２８へ洗濯物の取り込みのために速やかに移動することが可能となる。
【００７０】
廊下１９からランドリールーム１５への各出入口３３，３４を廊下１９の延びる方向に並ぶように配置したため、これら各出入口３３，３４を介して廊下１９とランドリールーム１５とを回遊する回遊動線を形成することができる。これにより、ランドリールーム１５を利用する上でより動線の短縮化を図ることができる。
【００７１】
ランドリールーム１５が、洗濯機４６が設置され出入口３３に連続する第１スペース１５ａと、出入口３４と出入口６１との間に設けられそれら各出入口３４，６１に連続する第２スペース１５ｂとを有する構成とした。そして、かかる構成にあって、第２スペース１５ｂについては、各出入口３４，６１の対向する対向方向（第２方向Ｙ）の長さＬ４を第１スペース１５ａにおける上記対向方向の長さＬ３よりも小さくした。この場合、廊下１９側からそれら各出入口３４，６１を介して、つまりランドリールーム１５を経由してバルコニー２８へ移動する際の動線を短縮化することができる。これにより、洗濯物の取り込みの際、バルコニー２８へより速やかに移動することが可能となる。特に、雨天時には洗濯物の取り込みを速やかに行うことが求められるため、かかる構成とすることの意義は大きい。
【００７２】
その一方で、洗濯機４６の設置スペースである第１スペース１５ａについては上記対向方向（第２方向Ｙ）の長さＬ３が比較的大きくされているため、第１スペース１５ａについては比較的広いスペースが確保されている。そのため、洗濯物の取り込みに関する上記の効果を得ながらも、第１スペース１５ａについては洗濯等の作業を行う上で好都合な構成とすることができる。
【００７３】
また、第２スペース１５ｂについては、さらに廊下１９の延びる方向（第１方向Ｘ）の長さＬ２も第１スペース１５ａの当該方向の長さＬ１よりも小さくした。この場合、洗濯機４６の設置スペースである第１スペース１５ａをその分広く確保することができるため、同スペース１５ａにおいて洗濯等の作業を行う上でより一層好都合となる。また、第２スペース１５ｂは廊下１９側からバルコニー２８へ移動する際の移動用スペースとして見れば、移動が行える程度の広さを有していれば足りるため、かかる構成としても特段問題はない。
【００７４】
ホール２５が廊下１９と連通する連通部３１を廊下１９を挟んで出入口３４と対向配置した。この場合、ホール２５側から廊下１９とランドリールーム１５とをそれぞれ経由してバルコニー２８へ移動するに際し、動線の短縮化を図ることができる。これにより、ホール２５側からバルコニー２８へ洗濯物の取り込みのために移動する際、速やかに移動することが可能となる。
【００７５】
また、ホール２５は一階部分（隣接階に相当）に通じる階段２４と隣接しているため、この場合、一階部分から階段２４を通じてバルコニー２８へ移動する際、詳しくは当該階段２４からホール２５、廊下１９及びランドリールーム１５を経由してバルコニー２８へ移動する際に、動線の短縮化を図ることができる。これにより、一階部分からバルコニー２８へ洗濯物の取り込みのために移動する際、速やかに移動することが可能となる。
【００７６】
ランドリールーム１５にアイロン台４９を設置したため、ランドリールーム１５でアイロンがけを行うことができる。また、アイロン台４９を、仕切壁３２に隣接させて設置し、各出入口３３，３４の間に配置した。この場合、ランドリールーム１５でアイロンがけを行っている作業者がいてその作業者の後ろを通って第１スペース１５ａと第２スペース１５ｂとの間を行き来できない場合でも、第１スペース１５ａへは出入口３３から出入りすることができ、第２スペース１５ｂへは出入口３４から出入りすることができる。そのため、各スペース１５ａ，１５ｂへの移動を行えるようにしつつ、アイロン台４９を利用することが可能となる。
【００７７】
互いに対向する各出入口３４，６１の開閉体３６，６２のうち、開閉体３６についてはランドリールーム１５側へ回動することで開く開き戸とし、開閉体６２についてはバルコニー２８側へ回動することで開く開き戸とした。この場合、廊下１９側から各出入口３４，６１を通じてバルコニー２８へ移動する際、それら各出入口３４，６１の開閉体３６，６２（開き戸）を移動先側に開いて移動することができる。これにより、洗濯物の取り込みに際し廊下１９側からバルコニー２８へより速やかに移動することが可能となる。
【００７８】
本発明は上記実施形態に限らず、例えば次のように実施されてもよい。
【００７９】
（１）上記実施形態では、ランドリールーム１５の第２スペース１５ｂについて、第１方向Ｘの長さＬ２を第１スペース１５ａの第１方向Ｘの長さＬ１よりも小さくしたが（Ｌ２＜Ｌ１）、これを変更して、長さＬ２を長さＬ１と同じ大きさとしてもよいし、長さＬ２を長さＬ１よりも大きくしてもよい。但し、洗濯等の作業を行う第１スペース１５ａについてより広いスペースを確保する上では、Ｌ２＜Ｌ１とするのが望ましい。
【００８０】
また、上記実施形態では、第２スペース１５ｂについて、第２方向Ｙの長さＬ４を第１スペース１５ａの第２方向Ｙの長さＬ３よりも小さくしたが（Ｌ４＜Ｌ３）、これを変更して、長さＬ４を長さＬ３と同じ大きさとしてもよい。但し、各出入口３４，６１の間の距離を小さくして、廊下１９側からランドリールーム１５を経由してバルコニー２８へ移動する際の動線の短縮化を図る上では、Ｌ４＜Ｌ３とするのが望ましい。
【００８１】
（２）上記実施形態では、ランドリールーム１５を挟んで対向する各出入口３４，６１の開閉体３６，６２のうち、開閉体３６についてはランドリールーム１５側へ開く開き戸とし、開閉体６２についてはバルコニー２８側へ開く開き戸としたが、これらの開閉体３６，６２は必ずしもかかる開き戸とする必要はない。例えば、各開閉体３６，６２のうち少なくともいずれかについて、上記実施形態とは反対側に開く開き戸としてもよい。また、各開閉体３６，６２のうち少なくともいずれかを引き戸としてもよい。
【００８２】
（３）上記実施形態では、ランドリールーム１５に洗濯機４６に加え、物干し部４８やアイロン台４９を設置したが、物干し部４８及びアイロン台４９の少なくともいずれかをランドリールーム１５に設けないようにしてもよい。
【００８３】
（４）上記実施形態では、洗濯機４６が設置されたランドリールーム１５を脱衣室１３とは別に設けることで、ランドリールーム１５を洗濯専用の部屋としたが、住宅によっては脱衣室に洗濯機を設置することで脱衣室をランドリールームとして兼用する場合がある。そこで、こうした脱衣室兼用のランドリールームに本発明を適用してもよい。
【００８４】
（５）上記実施形態では、直線状に延びる廊下１９にランドリールーム１５を隣接させたが、例えば平面視にてＬ字状をなす廊下にランドリールーム１５を隣接させてもよい。具体的には、ランドリールーム１５の２面にＬ字状の廊下が隣接されるようにする。そして、ランドリールーム１５の２面のそれぞれに、廊下からランドリールームへの出入口を設けるようにする。この場合、それら各出入口のうち一方の出入口をバルコニー２８への出入口６１とランドリールームを挟んで対向配置させるようにする。このような構成であっても、洗濯動線の短縮化を図るという効果を得ることができる。なお、かかる構成では、各出入口のうち、上記一方の出入口が「第１出入口」に相当し、他方の出入口が「第２出入口」に相当する。
【００８５】
（６）上記実施形態では、二階建ての住宅１０に本発明を適用したが、平屋建て（一階建て）や三階建て以上の住宅に本発明を適用してもよい。例えば、三階建ての住宅に本発明を適用する場合、住宅には、二階部分２０から一階部分に通じる階段２４に加え、二階部分２０から三階部分に通じる階段部が設けられることになる。そして、この三階部分へ通じる階段部についてもホール２５に隣接させて配置することが考えられる。このような構成とすれば、三階部分から階段部を通じてバルコニー２８へ移動する際に、動線の短縮化を図ることができる。そのため、三階部分からバルコニー２８へ洗濯物の取り込みのために移動する際、速やかに移動することが可能となる。なお、この場合、三階部分が「隣接階」に相当することになる。
【符号の説明】
【００８６】
１０…住宅、１５…ランドリールーム、１５ａ…第１スペース、１５ｂ…第２スペース、１９…第１通路部としての廊下、２０…所定階としての二階部分、２４…階段部としての階段、２８…バルコニー、３１…連通部、３２…間仕切壁としての仕切壁、３３…第２出入口としての出入口、３４…第１出入口としての出入口、３６…開閉体、４６…洗濯機、４８…吊り具としての物干し部、４９…アイロン台、６１…第３出入口としての出入口、６２…開閉体。
【図１】
2020023800.tif 000003
【図２】
2020023800.tif 000004